【手続補正書】
【提出日】令和2年3月5日(2020.3.5)
【手続補正１】
【補正対象書類名】特許請求の範囲
【補正対象項目名】全文
【補正方法】変更
【補正の内容】
【特許請求の範囲】
【請求項１】
中心軸を有する導管用の継手であって、前記継手は、
第１のネジ継手構成要素と、
前記第１のネジ継手構成要素内に受領可能な導管把持装置と、
前記第１のネジ継手構成要素と第２のネジ継手構成要素との間に相対的軸方向ストロークを生成するために、前記第１のネジ継手構成要素と螺合可能に接合する前記第２のネジ継手構成要素であって、前記継手が導管上に引き上げられるときに、前記第１のネジ継手構成要素および前記第２のネジ継手構成要素は、前記導管把持装置により導管把持および密閉に影響を与えるために、前記第１のネジ継手構成要素および前記第２のネジ継手構成要素の第１の相対的軸方向位置に一緒に接合することができ、前記第１のネジ継手構成要素および前記第２のネジ継手構成要素によって少なくとも部分的に画定された非接液継手内部容積から前記導管を密閉する、第２のネジ継手構成要素と、
前記第１のネジ継手構成要素および前記第２のネジ継手構成要素が前記第１の相対的軸方向位置に一緒に接合されるときに、前記継手の第２の環状表面を軸方向に係合する第１の環状表面を画定するリング形状部分を有するストローク抵抗部材であって、前記ストローク抵抗部材は、前記第１の相対的軸方向位置を超える締付トルクが前記第１の環状表面および前記第２の環状表面の軸方向係合によって増加されるように、前記第１のネジ継手構成要素および前記第２のネジ継手構成要素の追加の軸方向ストロークに抵抗する、ストローク抵抗部材と、
を備え、
前記第１の環状表面および前記第２の環状表面のうち少なくとも１つは、その対応する環状表面の内径から外径まで延在する溝を含み、前記溝は、前記第１の環状表面が前記第２の環状表面と軸方向に係合するときに前記非接液継手内部容積と流体連通する漏れ検知ポートを画定し、
前記ストローク抵抗部材は、前記第１の相対的軸方向位置を越えて前進された第２の相対的軸方向位置への、前記第１のネジ継手構成要素と前記第２のネジ継手構成要素との間の追加の相対的軸方向ストロークを可能にするように変形可能である変形可能な部分を含む、継手。
【請求項２】
前記ストローク抵抗部材は、前記第１のネジ継手構成要素と一体である、請求項１に記載の継手。
【請求項３】
前記第１の環状表面は前記溝を含む、請求項１に記載の継手。
【請求項４】
前記第２の環状表面は、前記第２のネジ継手構成要素上に配置される、請求項１に記載の継手。
【請求項５】
前記第１の環状表面および前記第２の環状表面は、前記中心軸に垂直に延在する、請求項１に記載の継手。
【請求項６】
前記第１の環状表面および前記第２の環状表面は平行である、請求項１に記載の継手。
【請求項７】
前記第１の環状表面および前記第２の環状表面のうち少なくとも１つは、前記非接液継手内部容積と流体連通する複数の漏れ検出ポートを画定する複数の凹部を含む、請求項１に記載の継手。
【請求項８】
前記第１のネジ継手構成要素は雌ネジ継手ナットを備え、前記第２のネジ継手構成要素は雄ネジ継手本体を備える、請求項１に記載の継手。
【請求項９】
前記ストローク抵抗部材は、前記変形可能な部分と連結される環状部材を含み、前記環状部材は前記第１の環状表面を画定する、請求項１に記載の継手。
【請求項１０】
前記環状部材は前記変形可能な部分と一体である、請求項９に記載の継手。
【請求項１１】
前記変形可能な部分は、前記第１のネジ継手構成要素および前記第２のネジ継手構成要素が前記第１の相対的軸方向位置に一緒に接合されるときに第１の軸方向長さを有し、前記変形可能な部分は、前記第１のネジ継手構成要素および前記第２のネジ継手構成要素が前記第２の相対的軸方向位置に引き上げられるときに、前記第１の軸方向長さより短い第２の軸方向長さに圧迫される、請求項１に記載の継手。
【請求項１２】
前記ストローク抵抗部材は、第１の半径方向厚さを有するリング部を含み、前記変形可能な部分は、前記第１の半径方向厚さより短い第２の半径方向厚さを有し、前記第１のネジ継手構成要素および前記第２のネジ継手構成要素が前記第２の相対的軸方向位置に引き上げられるときに軸方向に圧迫するように構成されたウェブ部を含む、請求項１に記載の継手。
【請求項１３】
前記第２の相対的軸方向位置は、前記導管把持装置により導管把持および密閉に影響を与えるのに十分な、前記継手の最初の引き上げの後のリメイクにおける前記継手の指締め位置の通過後の前記第１のネジ継手構成要素および前記第２のネジ継手構成要素の相対的回転数に対応する、請求項１に記載の継手。
【請求項１４】
前記第１の相対的軸方向位置は、前記継手の最初の引き上げにおいて前記導管把持装置により導管把持および密閉に影響を与えるのに十分な、指締め位置の通過後の前記第１のネジ継手構成要素および前記第２のネジ継手構成要素の相対的回転の所定数に対応する、請求項１に記載の継手。
【請求項１５】
前記第１の相対的軸方向位置は、前記導管把持装置を導管に固着するために使用される既定の部分締付条件の通過後の前記第１のネジ継手構成要素および前記第２のネジ継手構成要素の相対的回転の所定数に対応し、前記相対的回転の所定数は、前記導管把持装置により導管把持および密閉に影響を与えるのに十分である、請求項１に記載の継手。
【請求項１６】
前記第１の相対的軸方向位置は、前記第１のネジ継手構成要素および前記第２のネジ継手構成要素の最初の引き上げ中に、第１の所定の測定された締付トルクによって特定することができる、請求項１に記載の継手。
【請求項１７】
前記第２の相対的軸方向位置は、前記第１のネジ継手構成要素および前記第２のネジ継手構成要素の最初の引き上げの後の前記継手のリメイク中に、第２の所定の測定された締付トルクによって特定することができる、請求項１６に記載の継手。
【請求項１８】
前記第２の所定の測定された締付トルクは、前記第１の所定の測定された締付トルクと同じである、請求項１７に記載の継手。
【請求項１９】
前記ストローク抵抗部材の第２の軸方向長さへの塑性圧縮は、前記第２の所定の測定された締付トルクが前記第１の所定の測定された締付トルクと同じであることを結果的にもたらす、請求項１８に記載の継手。
【請求項２０】
前記溝は、前記継手の中心軸に垂直に延在する、請求項１に記載の継手。
【請求項２１】
前記溝は、前記継手の中心軸と交差する線に沿って延在する、請求項１に記載の継手。
【請求項２２】
中心軸を有する導管用の継手であって、前記継手は、
第１のネジ継手構成要素と、
前記第１のネジ継手構成要素内に受領可能な導管把持装置と、
前記第１のネジ継手構成要素と第２のネジ継手構成要素との間に相対的軸方向ストロークを生成するために、前記第１のネジ継手構成要素と螺合可能に接合する前記第２のネジ継手構成要素であって、前記継手が導管上に引き上げられるときに、前記第１のネジ継手構成要素および前記第２のネジ継手構成要素は、前記導管把持装置により導管把持および密閉に影響を与えるために、前記第１のネジ継手構成要素および前記第２のネジ継手構成要素の第１の相対的軸方向位置に一緒に接合することができ、前記第１のネジ継手構成要素および前記第２のネジ継手構成要素によって少なくとも部分的に画定された非接液継手内部容積から前記導管を密閉する、第２のネジ継手構成要素と、
前記第１のネジ継手構成要素および前記第２のネジ継手構成要素が前記第１の相対的軸方向位置に一緒に接合されるときに、前記継手の第２の環状表面を軸方向に係合する第１の環状表面を有するストローク抵抗部材であって、前記ストローク抵抗部材は、前記第１の相対的軸方向位置を超える締付トルクが前記第１の環状表面および前記第２の環状表面の軸方向係合によって増加されるように、前記第１のネジ継手構成要素および前記第２のネジ継手構成要素の追加の軸方向ストロークに抵抗する、ストローク抵抗部材と、
を備え、
前記第１の環状表面および前記第２の環状表面のうち少なくとも１つは、その対応する環状表面の内径から外径まで延在する凹部を含み、前記凹部は、前記第１の環状表面が前記第２の環状表面と軸方向に係合するときに前記非接液継手内部容積と流体連通する漏れ検知ポートを画定し、
前記ストローク抵抗部材は、前記第１の相対的軸方向位置を越えて前進された第２の相対的軸方向位置への、前記第１のネジ継手構成要素と前記第２のネジ継手構成要素との間の追加の相対的軸方向ストロークを可能にするように変形可能である変形可能な部分を含み、
前記ストローク抵抗部材は、第１の半径方向厚さを有するリング部を含み、前記変形可能な部分は、前記第１の半径方向厚さより短い第２の半径方向厚さを有し、前記第１のネジ継手構成要素および前記第２のネジ継手構成要素が前記第２の相対的軸方向位置に引き上げられるときに軸方向に圧迫するように構成されたウェブ部を含み、前記第１の環状表面は前記リング部上に配置される、継手。
【請求項２３】
継手用のストローク抵抗部材であって、前記ストローク抵抗部材は、
中心軸を有し、かつ、
第１の半径方向厚さを有する近位リング部と、
第２の半径方向厚さを有し、環状表面を画定する遠位リング部と、
前記第１の半径方向厚さより短い第３の半径方向厚さを有し、前記近位リングから前記遠位リングに向かって軸方向に延在する第１の壁部と、
前記第２の半径方向厚さより短い第４の半径方向厚さを有し、前記遠位リングから前記近位リングに向かって軸方向に延在する第２の壁部と、
前記第１の壁部および前記第２の壁部を連結するウェブであって、前記ウェブは、ヒンジ部を画定するために前記第１の壁部および前記第２の壁部のそれぞれに対して傾斜する、ウェブと、
を備える環状本体
を備え、
前記継手の第１の環状表面は、前記第１の環状表面の内径から外径まで延在する凹部を含み、前記凹部は、前記ストローク抵抗部材が前記継手と組み立てられ、前記継手が前記継手の導管把持装置により導管把持および密閉に影響を与えるために導管端部上に引き上げられるときに、前記第１の環状表面が前記継手の第２の環状表面と軸方向に係合されるときに継手内部容積と流体連通する漏れ検出ポートを画定する、ストローク抵抗部材。
【請求項２４】
中心軸を有する導管用の継手であって、前記継手は、
第１のネジ継手構成要素と、
前記第１のネジ継手構成要素と第２のネジ継手構成要素との間に相対的軸方向ストロークを生成するために、前記第１のネジ継手構成要素と螺合可能に接合する前記第２のネジ継手構成要素と、
前記第１のネジ継手構成要素と前記第２のネジ継手構成要素との間に受領可能な導管把持装置と、
を備え、
前記継手が導管上に引き上げられるときに、前記第１のネジ継手構成要素および前記第２のネジ継手構成要素は、前記導管把持装置により導管把持および密閉に影響を与えるために、前記第１のネジ継手構成要素および前記第２のネジ継手構成要素の第１の相対的軸方向位置に一緒に接合することができ、前記第１のネジ継手構成要素および前記第２のネジ継手構成要素によって少なくとも部分的に画定された非接液継手内部容積から前記導管を密閉し、
前記第１のネジ継手構成要素は、前記第１のネジ継手構成要素および前記第２のネジ継手構成要素が前記第１の相対的軸方向位置に一緒に接合されるときに、前記第２のネジ継手構成要素の半径方向内方に面する先細の第２の環状表面を軸方向に係合する、半径方向外方に面する先細の第１の環状表面を含み、係合された第１の環状表面および第２の環状表面は、前記第１の相対的軸方向位置を超える締付トルクが前記第１の環状表面および前記第２の環状表面の軸方向係合によって増加されるように、前記第１のネジ継手構成要素および前記第２のネジ継手構成要素の追加の軸方向ストロークに抵抗し、
前記第１の環状表面および前記第２の環状表面のうち少なくとも１つは、その対応する環状表面の内径から外径まで延在する凹部を含み、前記凹部は、前記第１の環状表面が前記第２の環状表面と軸方向に係合するときに前記非接液継手内部容積と流体連通する漏れ検知ポートを画定する、継手。
【請求項２５】
前記第１の環状表面は前記凹部を含む、請求項２４に記載の継手。
【請求項２６】
前記第２の環状表面は前記凹部を含む、請求項２４に記載の継手。
【請求項２７】
前記第１の環状表面および前記第２の環状表面は円錐台である、請求項２４に記載の継手。
【請求項２８】
前記第１の環状表面および前記第２の環状表面は平行である、請求項２４に記載の継手。
【請求項２９】
前記第１の環状表面および前記第２の環状表面のうち少なくとも１つは、前記非接液継手内部容積と流体連通する複数の漏れ検出ポートを画定する複数の凹部を含む、請求項２４に記載の継手。
【請求項３０】
前記第１のネジ継手構成要素は雄ネジ継手本体を備え、前記第２のネジ継手構成要素は雌ネジ継手ナットを備える、請求項２４に記載の継手。
【請求項３１】
前記第１のネジ継手構成要素は雄ネジ継手ナットを備え、前記第２のネジ継手構成要素は雌ネジ継手本体を備える、請求項２４に記載の継手。
【請求項３２】
前記第１の環状表面は、前記第１の相対的軸方向位置を越えて前進された第２の相対的軸方向位置への、前記第１のネジ継手構成要素と前記第２のネジ継手構成要素との間の追加の相対的軸方向ストロークを可能にするように変形可能である、前記第１のネジ継手構成要素の変形可能な部分によって画定される、請求項２４に記載の継手。
【請求項３３】
前記第１のネジ継手構成要素の変形可能な部分は、主に軸方向に変形可能である、請求項３２に記載の継手。
【請求項３４】
前記第２の環状表面は、前記第１の相対的軸方向位置を越えて前進された第２の相対的軸方向位置への、前記第１のネジ継手構成要素と前記第２のネジ継手構成要素との間の追加の相対的軸方向ストロークを可能にするように変形可能である、前記第２のネジ継手構成要素の変形可能な部分によって画定される、請求項２４に記載の継手。
【請求項３５】
前記第２のネジ継手構成要素の変形可能な部分は、主に半径方向に変形可能である、請求項３４に記載の継手。
【請求項３６】
前記第１の相対的軸方向位置は、前記継手の最初の引き上げにおいて前記導管把持装置により導管把持および密閉に影響を与えるのに十分な、指締め位置の通過後の前記第１のネジ継手構成要素および前記第２のネジ継手構成要素の相対的回転の所定数に対応する、請求項２４に記載の継手。
【請求項３７】
前記第１の相対的軸方向位置は、前記導管把持装置を導管に固着するために使用される既定の部分締付条件の通過後の前記第１のネジ継手構成要素および前記第２のネジ継手構成要素の相対的回転の所定数に対応し、前記相対的回転の所定数は、前記導管把持装置により導管把持および密閉に影響を与えるのに十分である、請求項２４に記載の継手。
【請求項３８】
前記第１の相対的軸方向位置は、前記第１のネジ継手構成要素および前記第２のネジ継手構成要素の最初の引き上げ中に、第１の所定の測定された締付トルクによって特定することができる、請求項２４に記載の継手。
【請求項３９】
前記第１のネジ継手構成要素および前記第２のネジ継手構成要素のうち少なくとも１つは、前記第１の相対的軸方向位置を越えて前進された第２の相対的軸方向位置への、前記第１のネジ継手構成要素と前記第２のネジ継手構成要素との間の追加の相対的軸方向ストロークを可能にするように変形可能であり、前記第２の相対的軸方向位置は、前記第１のネジ継手構成要素および前記第２のネジ継手構成要素の最初の引き上げの後の前記継手のリメイク中に、第２の所定の測定された締付トルクによって特定することができる、請求項２４に記載の継手。
【請求項４０】
前記第２の所定の測定された締付トルクは、前記第１の所定の測定された締付トルクと同じである、請求項３９に記載の継手。
【請求項４１】
前記凹部は溝を備える、請求項２４に記載の継手。
【請求項４２】
前記凹部は、前記継手の中心軸と交差する線に沿って延在する、請求項２４に記載の継手。
【請求項４３】
前記凹部は半径方向に延在し、Ｖノッチ、バットレスもしくは半Ｖノッチ、半径方向に尖ったＶノッチ、半円ノッチ、半楕円ノッチ、長方形ノッチ、および台形ノッチのうち少なくとも１つを備える断面形状を有する、請求項２４に記載の継手。